(57)【特許請求の範囲】
【請求項１】
フォトポリマーからなるホログラム記録層を備え、該ホログラム記録層にホログラム干渉パターンが記録されて現像安定化されているホログラム製品の前記ホログラム記録層に、前記フォトポリマーの露光感度波長領域のレーザー光を、前記フォトポリマーのホログラム干渉パターン露光量の１００倍以上の光量密度でパターン照射することにより前記ホログラム記録層に散乱性の可視情報を追記することを特徴とするホログラム製品への追記方法。
【請求項２】
前記レーザー光の光量密度が１〜１０００Ｊ／ｃｍ2 の間にあることを特徴とする請求項１記載のホログラム製品への追記方法。
【発明の詳細な説明】
【０００１】
【発明の属する技術分野】
本発明は、ホログラム製品への追記方法に関し、特に、ホログラム感光材料としてフォトポリマーを用いたホログラムへ製品へ、シリアル番号等の文字、パターン等の追記方法に関するものである。
【０００２】
【従来の技術】
従来、ホログラムカラーフィルター、ホログラフィック光学素子（ＨＯＥ）、グラフィックアート用ホログラム等のホログラム製品は、透過型ホログラム、反射型ホログラムを問わず、ホログラム感光材料としてフォトポリマーを用いている。
【０００３】
ホログラム感光材料としてのフォトポリマー（例えば、ＤｕＰｏｎｔ社製  Ｏｍｎｉｄｅｘ）は、ホログラム干渉縞を露光後、紫外線照射と加熱ベークをすることにより現像安定化されて最終製品となる。
【０００４】
このようなホログラム製品を製造後、図２に示すように、各ホログラム製品１の有効領域２の周辺領域３に製品番号等のシリアル番号、文字、パターン等の可視情報４を追記する必要がある。
【０００５】
【発明が解決しようとする課題】
従来は、図３に示すように、ホログラム製品１を構成する基板ガラス１０の裏面にダイヤモンド針等で刻み５を入れることにより、可視情報４を刻印している。しかしながら、この方法によると、ゴミ（刻みカス）が発生し、製造環境を悪化させる問題がある。
【０００６】
もう１つの方法として、図４に斜視図（ａ）と断面図（ｂ）を示すように、保護層１２の上から赤外線６をホログラム記録層１１に照射して照射領域を白濁させて可視情報４を追記する方法もあるが、この方法の場合、ホログラム記録層１１は熱膨張や窒素等の揮発ガスの発生により体積膨張し、その結果、保護層１２も含めて表面が突起して平面性が劣化する問題があった。
【０００７】
本発明は従来技術のこのような問題点に鑑みてなされたものであり、その目的は、ホログラム製品に可視情報を追記する方法であって、ゴミの発生がなく、また、表面の平面性が劣化することのない追記方法を提供することである。
【０００８】
【課題を解決するための手段】
上記目的を達成する本発明のホログラム製品への追記方法は、フォトポリマーからなるホログラム記録層を備え、該ホログラム記録層にホログラム干渉パターンが記録されて現像安定化されているホログラム製品の前記ホログラム記録層に、前記フォトポリマーの露光感度波長領域のレーザー光を、前記フォトポリマーのホログラム干渉パターン露光量の１００倍以上の光量密度でパターン照射することにより可視情報を追記することを特徴とする方法である。
【０００９】
この場合、そのレーザー光の光量密度が１〜１０００Ｊ／ｃｍ2 の間にあることが望ましい。
【００１０】
なお、本発明は、以上のようなホログラム製品への追記方法により可視情報が追記されているホログラム製品を含むものである。
【００１１】
本発明においては、フォトポリマーからなるホログラム記録層を備え、ホログラム記録層にホログラム干渉パターンが記録されて現像安定化されているホログラム製品のそのホログラム記録層に、フォトポリマーの露光感度波長領域のレーザー光を、フォトポリマーのホログラム干渉パターン露光量の１００倍以上の光量密度でパターン照射することにより可視情報を追記するので、ゴミの発生が全くなく、また、表面の平面性が劣化することのない可視情報の追記が可能となる。
【００１２】
【発明の実施の形態】
以下、本発明のホログラム製品への追記方法を実施例に基づいて説明する。
【００１３】
図１（ａ）は本発明によるホログラム製品への追記方法を実施するための配置を示した斜視図であり、図１（ｂ）はその追記部の拡大断面図である。
【００１４】
ここで、ホログラム製品１としては、例えばホログラムカラーフィルターであり、その層構成は、基板ガラス１０の上に、ＤｕＰｏｎｔ社製  Ｏｍｎｉｄｅｘ３５２のフォトポリマーからなり、その有効領域２にホログラムカラーフィルターのホログラムアレーが露光され、露光後、所定の紫外線の一様な照射と加熱ベークを施して現像安定化されたホログラム記録層１１が積層され、その上に透明保護層１２が設けられてなるものである。このホログラム記録層１１へホログラム干渉パターンを記録するための可視光の露光量は、通常、２０〜３０ｍＪ／ｃｍ2 である。
【００１５】
このように、ホログラム記録層１１にホログラム干渉パターンが記録され現像安定化されたホログラム製品１の有効領域２の周辺領域３に、透明保護層１２を通して、ＹＡＧレーザー２１から第２高調波の波長５３０ｎｍの強いレーザー光２２を追記するパターン状に走査して照射することにより、可視情報４を追記することができる。
【００１６】
ここで、ホログラム干渉パターン記録済みの現像安定化されたフォトポリマー１１に露光感度波長領域の強いレーザー光２２を照射すると、相分離、結合の更なる進化等の副反応が起こされ、そのレーザー光２２照射領域は散乱性に変化し、可視情報４が追記される。この変化の際、ホログラム記録層１１には体積変化は起こらず、そのためホログラム記録層１１及び透明保護層１２の平面性が劣化することはない。上記の副反応の正確なメカニズムは明らかではないが、レーザー光２２照射量は、通常のホログラム干渉パターンの露光量の１００倍以上、具体的には、１〜１０００Ｊ／ｃｍ2 の間にある必要がある。
【００１７】
このような追記のため、ＹＡＧレーザー２１からの第２高調波２２を矩形開口２３に照射し、その矩形開口２３を通ったレーザー光を走査光学系２４を介して集光光学系２５に入射させ、矩形開口２３の矩形像をホログラム製品１の周辺領域３に結像させ、その矩形像を走査光学系２４を制御して所望の追記パターンになるように移動させる。
【００１８】
具体的には、１ショットが５００Ｊで１２μｍ□のレーザー光２２のドットを走査光学系２４を制御することで繋いで数字の可視情報４を形成した。１ショットのパルスは０．８ｎｓで、照射量の密度は５００Ｊ／ｃｍ2 であった。追記した数字は、３０倍に投影拡大することで明確に確認することができた。
【００１９】
なお、フォトポリマーに上記のような追記が可能なレーザー光２２としては、ＹＡＧレーザーから第２高調波の波長５３０ｎｍの光に限らず、ホログラム露光前のホログラム記録層（フォトポリマー）が露光感度を有する可視域から近紫外域の波長のレーザー光が用いられる。
【００２０】
以上、本発明のホログラム製品への追記方法を実施例に基づいて説明してきたが、本発明はこの実施例に限定されず種々の変形が可能である。
【００２１】
【発明の効果】
以上の説明から明らかなように、本発明のホログラム製品への追記方法によると、フォトポリマーからなるホログラム記録層を備え、ホログラム記録層にホログラム干渉パターンが記録されて現像安定化されているホログラム製品のそのホログラム記録層に、フォトポリマーの露光感度波長領域のレーザー光を、フォトポリマーのホログラム干渉パターン露光量の１００倍以上の光量密度でパターン照射することにより可視情報を追記するので、ゴミの発生が全くなく、また、表面の平面性が劣化することのない可視情報の追記が可能となる。
【図面の簡単な説明】
【図１】本発明によるホログラム製品への追記方法を実施するための配置を示した斜視図とその追記部の拡大断面図である。
【図２】ホログラム製品の製造後に追記する可視情報を説明するための平面図である。
【図３】従来の１つのホログラム製品への追記方法を説明するための断面図である。
【図４】従来の別のホログラム製品への追記方法を説明するための斜視図とその追記部の拡大断面図である。
【符号の説明】
１…ホログラム製品
２…有効領域
３…周辺領域
４…可視情報
１０…基板ガラス
１１…ホログラム記録層
１２…透明保護層
２１…ＹＡＧレーザー
２２…レーザー光
２３…矩形開口
２４…走査光学系
２５…集光光学系
【図１】
0004596440.tif 000002
【図２】
0004596440.tif 000003
【図３】
0004596440.tif 000004
【図４】
0004596440.tif 000005